(57)【要約】【課題】本発明の目的は、操作者に選択の余地を与えることができ、他の放送番組または同一放送局の他放送番組等を容易に選定することができる番組有効表示システム、番組有効表示装置および番組有効表示方法を提供することである。【解決手段】本発明に係る番組有効表示システム１００は、放送信号を受信し、複数のチャンネルから選定された放送番組を映し出すよう制御する。放送番組を映す表示部６００と、複数のチャンネルから選定された放送番組を表示部６００に映し出し、かつ複数のチャンネルから選定除外された放送番組を選定されたチャンネルの放送番組にオーバーラップさせて表示部６００の一部に表示６２１、６２２、６２３として映し出す。【選択図】図１
2013065950.tif 000002
【特許請求の範囲】
【請求項１】
放送信号を受信し、複数のチャンネルから選定された放送番組を表示部に映し出すよう制御する番組有効表示システムであって、
前記複数のチャンネルから選定された放送番組を前記表示部に映し出す第１処理と、前記複数のチャンネルから選定除外された放送番組を前記選定されたチャンネルの放送番組にオーバーラップさせて前記表示部の少なくとも一部に映し出す第２処理と、を実施する処理部を有することを特徴とする番組有効表示システム。
【請求項２】
前記選定されたチャンネルの放送番組と、
前記選定除外されたチャンネルの放送番組とが、同一内容の放送番組であることを特徴とする請求項１記載の番組有効表示システム。
【請求項３】
前記選定されたチャンネルの放送番組と、
前記選定除外されたチャンネルの放送番組とが、異なる内容の放送番組であることを特徴とする請求項１記載の番組有効表示システム。
【請求項４】
前記処理部は、チャンネル選定処理をさらに備え、
前記チャンネル選定処理は、
前記オーバーラップさせて前記表示部の一部に映し出された放送番組を前記表示部に映し出されたチャンネルの放送番組と切り替えることができる請求項１から３のいずれか１項に記載の番組有効表示システム。
【請求項５】
前記請求項１から請求項４のいずれか１項に記載の番組有効表示システムと、
前記番組有効表示システムにより処理された放送番組を映し出す表示部と、を有することを特徴とする番組有効表示装置。
【請求項６】
放送信号を受信し、複数のチャンネルから選定された放送番組を表示部に映し出すよう制御する番組有効表示方法であって、
前記複数のチャンネルから選定された放送番組を前記表示部に映し出し、かつ前記複数のチャンネルから選定除外された放送番組を前記選定されたチャンネルの放送番組にオーバーラップさせて前記表示部の一部に映し出すことを特徴とする番組有効表示方法。
【発明の詳細な説明】
【技術分野】
【０００１】
本発明は、複数の番組を有効に表示させる番組有効表示システム、番組有効表示装置および番組有効表示方法に関する。
【背景技術】
【０００２】
従来から、同一内容の番組が複数のチャンネルまたは複数の放送局において放送されている。特許文献１には、より容易に放送形態を認識することのできるＥＰＧ（Electronic Program Guide）テーブルが得られる放送受信装置について開示されている。
【０００３】
特許文献１記載の放送受信装置においては、電子番組ガイドのデータを取得する第１の取得手段と、取得された電子番組ガイドのデータに基づいて、各チャンネルに対応する番組の内容を表示する電子番組表を作成する作成手段と、取得された電子番組ガイドのデータから同じ時刻に複数のチャンネルを用いて放送される同一番組があるか否かを判断する第１の判断手段と、第１の判断手段により同一番組があると判断された場合、同一番組の内容を、対応する複数のチャンネルに渡った同一領域に表示するように、作成手段を制御する制御手段と、スクロール要求を取得する第２の取得手段と、スクロール要求を取得した場合、スクロール対象となる電子番組表に複数のチャンネルに渡った同一領域に表示される同一番組があるか否かを判断する第２の判断手段と、同一番組のデータを加工する加工手段とを備え、第２の判断手段により同一番組があると判断された場合、取得されたスクロール要求に従ってスクロールさせた後の表示領域に、加工手段によって加工された内容を表示するものである。
【０００４】
また、特許文献２には、限られた表示スペースで、多くの放送事業者の番組情報を表示して、電子番組表表示上での操作性を向上させることができるデジタル放送受信装置について開示されている、
【０００５】
特許文献２記載のデジタル放送受信装置においては、同一放送事業体が複数チャンネルで同一番組を放送する場合には、同一番組を放送する複数のチャンネルを１チャンネル分として番組表を表示するデジタル放送受信装置において、新たな番組に関する情報を取得するたびに、該番組が前記複数チャンネルの放送する番組と重複していないかを判断し、重複していない場合には、該番組を放送するチャンネルを追加した番組表を表示するものである。
【先行技術文献】
【特許文献】
【０００６】
【特許文献１】特開２００９−２２５４８６号公報
【特許文献２】特開２００７−２９５１７１号公報
【発明の概要】
【発明が解決しようとする課題】
【０００７】
特許文献１および２では、電子番組表（ＥＰＧ（Electronic Program Guide））の表示上の動作についての発明であり、ユーザインターフェイスの観点からすると、多くの番組情報が表示される電子番組表では、ユーザの選択手法が煩雑となり好ましくない。
【０００８】
本発明の目的は、操作者に選択の余地を与えることができ、他の放送番組または同一放送局の他放送番組等を容易に選定することができる番組有効表示システム、番組有効表示装置および番組有効表示方法を提供することである。
【課題を解決するための手段】
【０００９】
（１）
一局面に従う番組有効表示システムは、放送信号を受信し、複数のチャンネルから選定された放送番組を表示部に映し出すよう制御する番組有効表示システムであって、複数のチャンネルから選定された放送番組を表示部に映し出す第１処理と、複数のチャンネルから選定除外された放送番組を選定されたチャンネルの放送番組にオーバーラップさせて表示部の少なくとも一部に映し出す第２処理と、を実施する処理部を有するものである。
【００１０】
この場合、表示部に選定された放送番組が映し出された状態で、表示部の一部に当該放送番組とオーバーラップして他の放送番組が自動で表示される。その結果、ユーザインターフェイスの観点から、操作者に選択の余地を与えることができる。
【００１１】
また、同一時間帯に異なる番組を放送している場合に、単に当該情報を知るだけでなく、操作者が行動（アクション）をすることなく、全ての番組を表示するため、放送番組を容易に、例えば、一目で認識することができる。さらに、自動的に表示部の一部にオーバーラップして表示されるので、別の異なる放送番組を放送していることに気づかないことを防止することができる。すなわち、自動表示により操作者は、同一時間帯の放送番組を容易に知ることができる。また、ＥＰＧ（Electronic Program Guide）の番組一覧画面を表示させること無く、他の放送番組または同一放送局の他放送番組等を容易に選定することができる。
【００１２】
（２）
第２の発明に係る番組有効表示システムは、第１の発明の番組有効表示システムにおいて、選定されたチャンネルの放送番組と、選定除外されたチャンネルの放送番組とが、同一内容の放送番組であってもよい。
【００１３】
この場合、同一内容の放送番組であっても、受信感度が異なる場合、または操作者の過去の履歴による嗜好性等に応じて、同一内容の放送番組であっても、受信感度の強弱または放送局の嗜好性等に応じて選定する機会を与えることができる。
【００１４】
（３）
第３の発明に係る番組有効表示システムは、第１の発明の番組有効表示システムにおいて、選定されたチャンネルの放送番組と、選定除外されたチャンネルの放送番組とが、異なる内容の放送番組であってもよい。
【００１５】
この場合、マルチ編成等により同一の放送局内において、異なる放送番組を放送していても、表示部の一部にオーバーラップして表示されるので、操作者は、放送番組の見逃しを防止することができる。
【００１６】
（４）
第４の発明に係る番組有効表示システムは、第１から第３の発明のいずれか１の番組有効表示システムにおいて、チャンネル選定装置をさらに備え、チャンネル選定装置は、表示部の一部に映し出された放送番組を表示部に映し出されたチャンネルの放送番組と切り替えることができることが好ましい。
【００１７】
この場合、ユーザインターフェイスの観点から、チャンネル選定装置へ信号を与えるリモコン（リモートコントローラ）またはマウス等によりワンアクションで選局動作を行うことができるため、容易かつ速やかに見たいチャンネルまたは放送番組へ変更し、視聴することができる。
【００１８】
（５）
他の局面に従う番組有効表示装置は、第１から第４の発明のいずれか１の番組有効表示システムと、番組有効表示システムにより処理された放送番組を映し出す表示部と、を有するものである。
【００１９】
この場合、表示部に選定された放送番組が映し出された状態で、表示部の一部に当該放送番組とオーバーラップして他の放送番組が自動で表示される。その結果、ユーザインターフェイスの観点から、操作者に選択の余地を与えることができる。
【００２０】
（６）
さらに他の局面に従う番組有効表示方法は、放送信号を受信し、複数のチャンネルから選定された放送番組を表示部に映し出すよう制御する番組有効表示方法であって、複数のチャンネルから選定された放送番組を表示部に映し出し、かつ複数のチャンネルから選定除外された放送番組を選定されたチャンネルの放送番組にオーバーラップさせて表示部の一部に映し出すものである。
【００２１】
この場合、表示部に選定された放送番組が映し出された状態で、表示部の一部に当該放送番組とオーバーラップして他の放送番組が表示される。その結果、ユーザインターフェイスの観点から、操作者に選択の余地を与えることができる。また、ＥＰＧ（Electronic Program Guide）の番組一覧画面を表示させること無く、他の放送番組または同一放送局の他放送番組等を容易に選定することができる。
【００２２】
番組有効表示システムにおいて、一の放送番組の放送番組名の一部を抽出して、当該抽出した一部を比較判定文字列として設定し、比較判定文字列により複数の放送番組が同一か否かを判定する判定部を有する。
【００２３】
この場合、比較判定文字列を抽出し、当該抽出された比較判定文字列により同一番組か否かを判定することができるので、完全同一でない放送番組に対しても容易に判定を行うことができる。また、放送番組名に限定されず、イベントインデックス（ＥＶＥＮＴＩＤ）または情報記述子等を用いて判定してもよい。
【００２４】
番組有効表示システムの処理部において、第２処理は、表示部の一部にオーバーラップして表示した放送番組を、一定時間経過後に自動消去させる。
【００２５】
この場合、オーバーラップして表示された放送番組名が自動的に消去されるので、操作者に不快感を持たせることなく、チャンネル選択の自由を与えることが出来る。
【図面の簡単な説明】
【００２６】
【図１】本実施の形態に係る番組有効表示装置を含む放送受信装置の一例を示す模式的構造図である。
【図２】本実施の形態に係る番組有効表示装置による表示部の一例を示す模式図である。
【図３】同一番組が複数チャンネルで放送される状態を表で示したものである。
【図４】番組有効表示装置が同一番組を判定する同一番組処理を説明するためのフローチャートの一例を示す図である。
【図５】番組有効表示装置による表示部への表示優先度処理を説明するためのフローチャートである。
【図６】第２の実施の形態に係る番組有効表示システムの一例を示す模式的構造図である。
【発明を実施するための形態】
【００２７】
（第１実施形態）
以下、本実施の形態に係る番組有効表示システム、番組有効表示装置および番組有効表示方法について図面を用いて説明を行う。
図１は、本実施の形態に係る番組有効表示システム１００を含む放送受信装置７００の一例を示す模式的構造図である。
【００２８】
図１に示すように、放送受信装置７００は、チューナー２１０、デコーダ２２０、出力制御部２３０、番組情報格納部３００、制御部４００、記憶部４１０、リモコンＩ／Ｆ（インターフェイス）部４２０、リモコン４３０および表示部６００を備える。
【００２９】
また、説明上、放送受信装置７００において、表示部６００を除外した装置を、放送受信システム１１０と呼ぶ。
【００３０】
表示部６００は、音声出力部２４０および映像出力部２５０を含む。また、制御部４００は、番組有効表示システム１００を含む。
【００３１】
記憶部４１０は、ＲＡＭ（Random
Access Memory）、ＲＯＭ（Read Only Memory）、ＥＥＰＲＯＭ（Electrically Erasable and programming ROM）、フラッシュメモリまたはハードディスク等から構成される。記憶部４１０は、過去に選定されたチャンネル回数、操作者のチャンネルまたは番組の嗜好性、その他、番組情報および番組表等の処理を行うソフトプログラム等が記憶される。
【００３２】
＜動作概略説明＞
図１の放送受信装置７００または放送受信システム１１０のチューナー２１０は、制御部４００の指示に基づいて、アンテナ等（図示省略）から取り込まれた放送信号を選局する。
デコーダ２２０は、チューナー２１０から受信した放送信号を復元する。当該放送信号は、多重化された音声信号、映像信号およびＥＰＧ（Electronic Program Guide）信号等が含まれている。デコーダ２２０は、復元した音声信号および映像信号を出力制御部２３０に与える。
【００３３】
ここで、制御部４００の番組有効表示システム１００は、リモコン４３０からの信号をリモコンＩ／Ｆ４２０を介して受け取り、番組情報格納部３００の格納された番組情報に基づいて、後述する番組有効表示方法の処理を施し、出力制御部２３０に重合映像信号を与える。
【００３４】
出力制御部２３０は、復元された音声信号を音声出力部２４０に与え、復元された映像信号および重合映像信号を映像出力部２５０に与える。
【００３５】
音声出力部２４０は、音声を表示部６００内蔵のスピーカー等から出力し、映像出力部２５０は、映像信号および重合映像信号を、表示部６００に出力する。
【００３６】
次に、図２は、本実施の形態に係る番組有効表示システム１００による表示部６００の一例を示す模式図である。
【００３７】
図２に示すように、表示部６００には、映像信号の表示６３０が表示される。また、番組有効表示システム１００により、重合映像信号の表示６２１，表示６２２，表示６２３が表示される。すなわち、図２に示すように、表示部６００の全面に表示６３０が表示され、その表示６３０の一部をオーバーラップして表示６２１，表示６２２，表示６２３が表示される。当該表示６２１，表示６２２，表示６２３の詳細については、後述する。
【００３８】
続いて、一般に映像信号には、同一番組を放送しているチャンネルが複数存在する場合がある。図３は、同一番組が複数チャンネルで放送される状態を表で示したものである。
【００３９】
図３に示すように、複数の放送局「アナハＴＶ」および「ＴＶツェル」があり、「アナハＴＶ」は、チャンネル「１３ｃｈ」であり、受信感度が「４５」である。
一方、「ＴＶツェル」は、チャンネル「１４ｃｈ」であり、受信感度が「６０」である。「アナハＴＶ」および「ＴＶツェル」のいずれも「フルセグ（１２セグ）」，「ワンセグ」の両方を備える。
【００４０】
また、図３に示すように、「Ａ」，〜，「Ｋ」は、それぞれ番組名を省略したものであり、同じアルファベットは、番組名が完全同一の番組を放送していることを示す。
【００４１】
この場合、時間帯「１」の場合には、「アナハＴＶ」の「フルセグおよびワンセグ」の番組「Ａ」、「アナハＴＶ」の「ワンセグ」の番組「Ｂ」、「ＴＶツェル」の「フルセグおよびワンセグ」の番組「Ｃ」を選局することができる。ここで、「ワンセグ」よりも「フルセグ」が優先表示されると仮定する。
【００４２】
すなわち、図２で示した表示６３０に「アナハＴＶ」の「フルセグ」の番組「Ａ」が表示された場合には、表示６２１に「アナハＴＶ」の「フルセグ及びワンセグ」の番組「Ａ」が自動に表示され、表示６２２に、「アナハＴＶ」の「ワンセグ」の番組「Ｂ」が自動に表示され、表示６２３に「ＴＶツェル」の「フルセグ及びワンセグ」の番組「Ｃ」が自動に表示される。
【００４３】
同様に、時間帯「２」の場合には、「アナハＴＶ」の「フルセグ」の番組「Ｄ」、「アナハＴＶ」の「フルセグ」の番組「Ｅ」、「アナハＴＶ」の「フルセグ」の番組「Ｆ」、「アナハＴＶ」の「ワンセグ」の番組「Ｇ」、「ＴＶツェル」の「フルセグ」の番組「Ｈ」を選局することができる。
【００４４】
時間帯「３」の場合には、アナハＴＶとツェルＴＶで同じ番組「Ｉ」を放送しているが、受信感度が高い「ツェルＴＶ」の「フルセグ」の番組「Ｉ」、「アナハＴＶ」の「ワンセグ」の番組「Ｊ」、「ＴＶツェル」の「フルセグ」の番組「Ｉ」を選局することができる。
時間帯「４」の場合には、アナハＴＶとツェルＴＶで同じ番組「Ｋ」を放送しているが、受信感度が高い「ツェルＴＶ」の「フルセグ」の番組「Ｋ」、「アナハＴＶ」の「フルセグ」の番組「Ｌ」、「アナハＴＶ」の「ワンセグ」の番組「Ｍ」、「ＴＶツェル」の「フルセグ」の番組「Ｋ」を選局することができる。
【００４５】
なお、ここで、「ワンセグ」よりも「フルセグ」が優先表示されると仮定しなければ、上記の番組は、「フルセグ」のみならず、「フルセグおよびワンセグ」が表示されてもよい。
【００４６】
図３に示すように、同一時間帯において、異なる番組名が多数放送されている。ここで、異なる番組名が同一内容の放送を行う場合がある。例えば、図２に示すように、表示６２１は、「○○物理学」の番組を表示しており、表示６２２は、「[字]○○物理学」の番組を表示しており、表示６２３は、「[ＨＤＴＶ]○○物理学」の番組を表示している。
【００４７】
すなわち、ここでの表示６２１，表示６２２，表示６２３は、同一番組と想定される。以下、本発明に係る番組有効表示システム１００の制御動作について説明する。
図４は、番組有効表示システム１００が同一番組か否かを判定する同一番組処理を説明するためのフローチャートの一例を示す図である。
【００４８】
図４に示すように、まず、番組有効表示システム１００は、比較する番組名の文字列の短い方を検索文字列とする（ステップＳ１）。
具体的に、図２の「○○物理学」と、「[字]○○物理学」と、「[ＨＤＴＶ]○○物理学」とのうち、最も文字列が短いのは、「○○物理学」であり、当該番組名を検索文字列とする。
【００４９】
次に、片方の文字列内に検索文字列が含まれているかチェックを行う（ステップＳ２）。ここで、「[字]○○物理学」と、「[ＨＤＴＶ]○○物理学」には、「○○物理学」が含まれている。
【００５０】
次いで、片方の長い方に検索文字列が含まれるか否かを判定する（ステップＳ３）。具体的に、「[字]○○物理学」と、「[ＨＤＴＶ]○○物理学」には、「○○物理学」が含まれている。
番組有効表示システム１００は、片方の長い方に文字列が含まれると判定した場合、それらは、同一番組と判定する（ステップＳ４）。
一方、番組有効表示システム１００は、片方の長い方に文字列が含まれないと判定した場合、それらは、別番組と判定する（ステップＳ５）。
具体的に、図３において「[ＨＤＴＶ]○○物理学」の番組および「[字]○○物理学」の番組は、「○○物理学」の番組と同一番組と判定される。
【００５１】
なお、本実施の形態においては、検索文字列が「○○物理学」であることとしたが、これに限定されず、「○○」のみ、「物理学」のみ、「○○」および「物理学」の一致等、特徴語句を検索文字列としてもよい。また、カタカナ、漢字のみを検索文字列として抽出するようにしてもよい。
【００５２】
続いて、図５は、番組有効表示システム１００による表示部６００への表示優先度処理を説明するためのフローチャートである。
【００５３】
図５に示すように、まず、番組有効表示システム１００は、同一番組処理を実施する（ステップＳ１０）。当該ステップＳ１０の処理は、図４に示したフローチャートを全て実施するものである。
次いで、番組有効表示システム１００は、受信感度を優先するか否かを判定する（ステップＳ１１）。ここで、受信感度を優先するか否かは、操作者がリモコン４３０を用い、リモコンＩ／Ｆ４２０を介して予め制御部４００の番組有効表示システム１００に設定を行っている。なお、受信感度を優先するか否かの情報は、制御部４００を介して、記憶部４１０に記憶させてもよい。
【００５４】
したがって、番組有効表示システム１００は、予め受信感度を優先と設定されていると判定した場合（ステップＳ１１のＹｅｓ）、同一番組を放送しているチャンネルの受信感度を取得し、比較する（ステップＳ２１）。
具体的には、図３の時間帯「４」の「フルセグ」の「Ｋ」の番組名において、「アナハＴＶ」の受信感度が、「４５」であり、「ツェルＴＶ」の受信感度が、「６０」であることが比較される。
【００５５】
次いで、番組有効表示システム１００は、受信感度の最も高いチャンネルを取得する（ステップＳ２２）。具体的には、図３の「アナハＴＶ」および「ツェルＴＶ」のうち、「ツェルＴＶ」の「フルセグ」の「Ｋ」の番組を取得する。
【００５６】
最後に、番組有効表示システム１００は、取得したチャンネルを最適のチャンネルとして出力する（ステップＳ４０）。
ここで、番組有効表示システム１００は、図１に示す出力制御部２３０に「ツェルＴＶ」の「フルセグ」の「Ｋ」の映像信号および音声信号を出力させる。
【００５７】
一方、ステップＳ１１の処理において、番組有効表示システム１００は、予め受信感度を優先しないと設定されていると判定した場合（ステップＳ１１のＮｏ）、同一番組を放送している複数のチャンネルの過去において選択した回数を取得し、比較する（ステップＳ３１）。ここで、過去において選択したチャンネルの回数は、記憶部４１０に記憶されている。
次いで、番組有効表示システム１００は、記憶部４１０から過去に最も多く選択したチャンネルを取得する（ステップＳ３２）。最後に、番組有効表示システム１００は、取得したチャンネルを最適のチャンネルとして出力する（ステップＳ４０）。
【００５８】
なお、本実施の形態においては、検索文字列により同一内容の番組か否かを判定することとしているが、番組情報（Event Information Table）のイベントインデックス（Event id）を使用して、判定してもよい。例えば、同じevent idであれば、その番組は同一と判定してもよい。また、あらかじめ、系列局情報を作成し、時間帯によって、同一番組かどうかを判定してもよい。さらに、系列局情報を用いて判定してもよい。ここでの系列局情報は、放送波にとらわれず、例えば地上波放送と衛星放送といった組み合わせも考えられる。さらに、系列局情報は、あらかじめリストを作成する方法や、NIT（Network Information Table）のＴＳ情報記述子のremote control key idを参照して、決定する方法を用いてもよい。
【００５９】
また、本実施の形態において、表示６２１，表示６２２，表示６２３の表示順序は、物理チャンネル順に表示することとしたが、これに限定されず、優先するジャンル順、選局回数、受信感度、ソース（例えば、放送よりネットワークからの配信を優先させるとか、ダウンロードコンテンツを優先させるなど）、予約率の高い順のいずれか１つまたは複数を用いて表示順序を決定してもよい。
【００６０】
さらに、本実施の形態において、受信感度の測定方法は、オートスキャン時の受信感度を保存してもよく、チューナー２１０を使用していないときに、プリセットチャンネルを巡回し、受信感度を測定し、その時の値を保存してもよく、チューナー２１０を使用していないときに、プリセットチャンネルを巡回し、受信感度を測定し、いままでの測定結果の平均を保存してもよい。
【００６１】
以上のように、本発明に係る番組有効表示システム１００においては、表示部６００に選定された放送番組が映し出された状態で、表示部６００の一部に当該放送番組とオーバーラップして他の放送番組の番組名が自動で表示される。その結果、ユーザインターフェイスの観点から、操作者に選択の余地を与えることができる。また、ＥＰＧ（Electronic Program Guide）の番組一覧画面を表示させること無く、他の放送番組の番組名または同一放送局の他放送番組の番組名等を容易に選定することができる。
【００６２】
また、同一内容の放送番組であっても、受信感度が異なる場合、または操作者の過去の履歴による嗜好性等に応じて、同一内容の放送番組であっても、受信感度の強弱または放送局の嗜好性等に応じて選定する機会を与えることができる。
【００６３】
さらに、マルチ編成等により同一の放送局内において、異なる放送番組を放送していても、表示部６００の一部にオーバーラップして表示されるので、放送番組の見逃しを防止することができる。
【００６４】
本発明においては、番組有効表示システム１００または放送受信システム１１０が番組有効表示システムに相当し、放送受信装置７００が番組有効表示装置に相当し、番組有効表示システム１００または出力制御部２３０が処理部に相当し、表示部６００が表示部に相当し、表示６２１の「○○物理学」が複数のチャンネルから選定された放送番組に相当し、表示６２２の「[字]○○物理学」および表示６２３の「[ＨＤＴＶ]○○物理学」が複数のチャンネルから選定除外された放送番組に相当し、リモコンＩ／Ｆ４２０がチャンネル選定装置に相当し、番組有効表示システム１００の動作が番組有効表示方法に相当する。
【００６５】
（第２の実施の形態）
続いて、第２の実施の形態に係る番組有効表示システム１００ａの一例を示す模式的構造図である。第１の実施の形態においては、表示部６００を有する放送受信装置７００の場合について説明したが、第２の実施の形態に係る番組有効表示システム１００ａは、パーソナルコンピュータ（以下、ＰＣと略記する）の内部または外部に設けられるシステムである。
【００６６】
図６に示すように、番組有効表示システム１００ａは、デマルチプレクサ２２０ａ、音声デコーダ２２１ａ、音声出力部２４０ａ、映像デコーダ２２２ａ、映像出力部２５０ａ、番組情報格納部３００ａ、番組情報判定部３１０ａ、番組情報出力部２６０ａ、メインメモリ４１０ａおよびハードディスク４１１ａを含む。
メインメモリ４１０ａおよびハードディスク４１１ａは、操作者の過去の履歴による嗜好性等を記録する。ここで、第２の実施の形態においては、各部は、ソフト処理により各動作を行う。
【００６７】
なお、図６に示すように、第２の実施の形態においては、番組有効表示システム１００ａは、チューナー２１０、表示部６００ａを含まない。
【００６８】
＜動作概略説明＞
図６の番組有効表示システム１００ａにおいては、放送信号がチューナー２１０を介して、デマルチプレクサ２２０ａにより複数のストリームに戻される。音声データは、音声デコーダ２２１ａに送られ、映像データは、映像デコーダ２２２ａに送られ、番組情報は、番組情報格納部３００ａに送られる。
【００６９】
音声デコーダ２２１ａは、音声データから音声を復号化し、映像デコーダ２２２ａは、映像データを復号化する。音声デコーダ２２１ａは、復号化した音声を音声出力部２４０ａに与え、音声出力部２４０ａは、音声を外部の表示部６００ａに与える。
【００７０】
同様に、映像デコーダ２２２ａは、復号化した映像を映像出力部２５０ａに与え、映像出力部２５０ａは、映像を外部の表示部６００ａに与える。
番組情報判定部３１０ａは、第１の実施の形態における図４、図５のフローチャートと同様の処理を行い、番組情報出力部２６０ａに番組情報を出力する。
【００７１】
表示部６００ａは、音声出力部２４０ａ、映像出力部２５０ａおよび番組情報出力部２６０ａからの出力を表示する。この場合、映像出力部２５０の出力が表示された一部に、番組情報出力部２６０ａからの情報がオーバーラップして表示される（図２参照）。
【００７２】
以上のように、第２の発明に係る番組有効表示システム１００ａにおいては、表示部６００ａに選定された放送番組が映し出された状態で、表示部６００ａの一部に当該放送番組とオーバーラップして他の放送番組の番組名が自動で表示される。その結果、ユーザインターフェイスの観点から、操作者に選択の余地を与えることができる。また、ＥＰＧ（Electronic Program Guide）の番組一覧画面を表示させること無く、他の放送番組の番組名または同一放送局の他放送番組の番組名等を容易に選定することができる。
【００７３】
また、同一内容の放送番組であっても、受信感度が異なる場合、または操作者の過去の履歴による嗜好性等に応じて、同一内容の放送番組であっても、受信感度の強弱または放送局の嗜好性等に応じて選定する機会を与えることができる。
【００７４】
さらに、マルチ編成等により同一の放送局内において、異なる放送番組を放送していても、表示部６００ａの一部にオーバーラップして表示されるので、放送番組の見逃しを防止することができる。
【００７５】
第２の発明においては、番組有効表示システム１００ａが番組有効表示システムに相当し、音声出力部２４０ａ、番組情報出力部２６０ａおよび映像出力部２５０ａが処理部に相当し、表示部６００ａが表示部に相当し、番組有効表示システム１００ａの動作が番組有効表示方法に相当する。
【００７６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７７】
１００，１００ａ  番組有効表示システム
２１０  チューナー
２２０  デコーダ
２３０  出力制御部
２４０  音声出力部
２５０  映像出力部
３００  番組情報格納部
４００  制御部
４１０  記憶部
４２０  リモコンＩ／Ｆ部
４３０  リモコン
６００，６００ａ  表示部
６２１，６２２，６２３，６２４  表示
７００  放送受信装置
【図１】
2013065950.tif 000003
【図２】
2013065950.tif 000004
【図３】
2013065950.tif 000005
【図４】
2013065950.tif 000006
【図５】
2013065950.tif 000007
【図６】
2013065950.tif 000008